(57)【要約】【課題】原稿読取領域において原稿読取時の両移動方向に移動して読取部がスキャン動作可能な場合に、一旦スキャン動作を終えた後の次のスキャン動作の再開を素早く行う。【解決手段】キャリッジ３４が副走査方向の第１の方向または第２の方向に移動してコンタクトガラスに載置された原稿を読み取る読取部５と、読取部５による原稿の読み取り動作が終了した場合に、副走査方向の一方の端部側に予め定められた第１のホームポジション及び副走査方向の他方の端部側に予め定められた第２のホームポジションのいずれか一方のホームポジションに、キャリッジ３４を移動させる動作制御部１０２と、動作制御部１０２がいずれか一方のホームポジションにキャリッジ３４を移動させた場合に、表示部４７３に、読取部５で次に読み取られる原稿を、コンタクトガラス上において当該キャリッジ３４を移動させた当該ホームポジション側に載置する旨のメッセージを表示させる制御部１００と、を備える。【選択図】図２
2018101899.tif 000002
【特許請求の範囲】
【請求項１】
原稿を載置するためのコンタクトガラスと、
予め定められた原稿読取領域の一方の端部側から他方の端部側に向かう第１の方向と前記原稿読取領域の前記他方の端部側から前記一方の端部側に向かう第２の方向とに往復移動可能とされた移動機構を有し、当該移動機構が前記原稿読取領域の前記第１の方向または前記原稿読取領域の前記第２の方向に移動して前記コンタクトガラスに載置された原稿を読み取る読取部と、
前記読取部による原稿の読み取り動作が終了した場合に、前記原稿読取領域の前記一方の端部側に予め定められた第１の読取基準位置及び前記原稿読取領域の前記他方の端部側に予め定められた第２の読取基準位置のいずれか一方の読取基準位置に、前記移動機構を移動させる動作制御部と、
表示部と、
前記動作制御部が前記いずれか一方の読取基準位置に前記移動機構を移動させた場合に、前記表示部に、前記読取部で次に読み取られる原稿を、前記コンタクトガラス上において当該移動機構を移動させた当該読取基準位置側に載置する旨のメッセージを表示させる制御部と、を備える原稿読取装置。
【請求項２】
前記動作制御部が、前記原稿読取領域において予め定められた移動量以上に前記移動機構を移動させて、前記読取部に原稿の読み取り動作を行わせた場合には、
前記動作制御部は、その原稿の読み取り動作の前に移動させていた前記いずれか一方の読取基準位置とは異なる他方の読取基準位置に前記移動機構を移動させる請求項１に記載の原稿読取装置。
【請求項３】
前記予め定められた移動量は、前記原稿読取領域の全域を前記第１及び前記第２の方向に移動する場合における移動量の半分の値である請求項２に記載の原稿読取装置。
【請求項４】
前記予め定められた移動量は、前記原稿読取領域の全域を前記第１及び前記第２の方向に移動する場合における移動量の半分未満の値であって、
前記動作制御部が、前記移動機構を前記第１の方向に移動させて、前記読取部に原稿の読み取り動作を行わせている場合において、前記第２の方向に当該移動機構を移動させて、その原稿の読み取り動作の前に移動させていた前記いずれか一方の読取基準位置に当該移動機構を戻すのに要する移動時間よりも、前記第１の方向に当該移動機構を移動させて、その原稿の読み取り動作の前に移動させていた前記いずれか一方の読取基準位置とは異なる他方の読取基準位置に当該移動機構を移動させるのに要する移動時間の方が短くなる移動量を示す値である請求項２に記載の原稿読取装置。
【請求項５】
前記コンタクトガラスに対して開閉可能に設けられる原稿押さえカバーと、
前記原稿押さえカバーが開状態であるか閉状態であるかを検出する開閉センサーと、を更に備え、
前記原稿押さえカバーが開状態にされたことを前記開閉センサーが検出した場合に、前記制御部は、前記読取部で次に読み取られる原稿を、前記コンタクトガラス上において前記移動機構を移動させた前記読取基準位置側に載置する旨のメッセージを前記表示部に表示させる請求項１乃至請求項４のいずれか１項に記載の原稿読取装置。
【請求項６】
請求項１乃至請求項５のいずれか１項に記載の原稿読取装置と、
前記原稿読取装置によって読み取りで得られた原稿の画像データに基づいて、記録媒体に画像形成を行う画像形成部と、を備える画像形成装置。
【発明の詳細な説明】
【技術分野】
【０００１】
本発明は、原稿読取装置及びこれを用いた画像形成装置に関し、特に、原稿の画像を読み取る動作についての技術に関する。
【背景技術】
【０００２】
スキャナー等の原稿読取装置は、一般に、原稿を載置するためのコンタクトガラスと、コンタクトガラスに対して開閉可能に設けられる原稿押さえカバーと、原稿読取領域に移動可能な移動機構（キャリッジ）上に設けられるとともに、コンタクトガラスに載置された原稿を読み取る読取部とを具備している。また、画像形成装置は、このような原稿読取装置による読み取りで得られた画像データに基づいて、原稿の画像を記録媒体に印刷する。
【０００３】
上記のような原稿読取装置では、ユーザーの操作指示によって、原稿の読み取り動作（スキャン動作）の開始が指示されると、コンタクトガラス上の原稿に対しキャリッジが原稿読取領域の一方の端部側から他方の端部側に移動して読取部がその原稿を読み取る。また、このような原稿読取装置では、読取部が原稿を読み取った後、キャリッジは原稿読取領域の他方の端部側から一方の端部側に移動して当該一方の端部側に予め定められた待機位置に戻る往復移動を行って、当該原稿読取装置は待機状態となる。すなわち、このような原稿読取装置では、キャリッジが待機位置に移動するまでは、次の原稿に対するスキャン動作を行うことができずに、当該次のスキャン動作を素早く行うことは難しい。
【０００４】
また、従来の原稿読取装置には、例えば下記特許文献１に示されるように、原稿読取領域の一方の端部側から他方の端部側へのキャリッジの移動（往路）中に読取部にスキャン動作を行わせる第１の読み取り制御と、原稿読取領域の他方の端部側から一方の端部側へのキャリッジの移動（復路）中に読取部にスキャン動作を行わせる第２の読み取り制御とを行い、上述の往路及び復路においてスキャン動作を実施する技術が提案されている。
【先行技術文献】
【特許文献】
【０００５】
【特許文献１】特開２０１２−６５１８８号公報
【発明の概要】
【発明が解決しようとする課題】
【０００６】
しかしながら、上記のような従来の原稿読取装置では、上記第１及び第２の読み取り制御を行って読取部がスキャン動作を終了した場合でも、キャリッジは原稿読取領域の一方の端部側に予め定められた待機位置に移動されていた。このため、この従来の原稿読取装置では、在来の原稿読取装置と同様に、次のスキャン動作を素早く行うことは困難なことがあり、ユーザーの利便性を向上させることは難しい。
【０００７】
本発明は、上記の事情に鑑みなされたものであり、原稿読取領域において原稿読取時の両移動方向に移動して読取部がスキャン動作可能な場合に、一旦スキャン動作を終えた後の次のスキャン動作の再開を素早く行うことを目的とする。
【課題を解決するための手段】
【０００８】
本発明の一局面に係る原稿読取装置は、原稿を載置するためのコンタクトガラスと、
予め定められた原稿読取領域の一方の端部側から他方の端部側に向かう第１の方向と前記原稿読取領域の前記他方の端部側から前記一方の端部側に向かう第２の方向とに往復移動可能とされた移動機構を有し、当該移動機構が前記原稿読取領域の前記第１の方向または前記原稿読取領域の前記第２の方向に移動して前記コンタクトガラスに載置された原稿を読み取る読取部と、
前記読取部による原稿の読み取り動作が終了した場合に、前記原稿読取領域の前記一方の端部側に予め定められた第１の読取基準位置及び前記原稿読取領域の前記他方の端部側に予め定められた第２の読取基準位置のいずれか一方の読取基準位置に、前記移動機構を移動させる動作制御部と、
表示部と、
前記動作制御部が前記いずれか一方の読取基準位置に前記移動機構を移動させた場合に、前記表示部に、前記読取部で次に読み取られる原稿を、前記コンタクトガラス上において当該移動機構を移動させた当該読取基準位置側に載置する旨のメッセージを表示させる制御部と、を備えるものである。
【０００９】
また、本発明の他の一局面に係る画像形成装置は、上記原稿読取装置と、前記原稿読取装置によって読み取りで得られた原稿の画像データに基づいて、記録媒体に画像形成を行う画像形成部と、を備える。
【発明の効果】
【００１０】
本発明によれば、原稿読取領域において原稿読取時の両移動方向に移動して読取部がスキャン動作可能な場合に、一旦スキャン動作を終えた後の次のスキャン動作の再開を素早く行うことが可能になる。
【図面の簡単な説明】
【００１１】
【図１】本発明の一実施形態に係る画像形成装置の外観を示した斜視図である。
【図２】一実施形態に係る画像形成装置の主要内部構成を概略的に示した機能ブロック図である。
【図３】読取部の内部構成を模式的に示した透過平面図である。
【図４】Ａ３サイズの原稿に対する動作制御部の制御例を説明する図である。
【図５】Ａ６サイズの原稿に対する動作制御部の制御例を説明する図である。
【図６】制御ユニットにおける処理動作の一例を示したフローチャートである。
【図７】表示部に表示される表示画面の一例を示した図である。
【図８】表示部に表示される表示画面の一例を示した図である。
【発明を実施するための形態】
【００１２】
以下、本発明の一実施形態に係る原稿読取装置及び画像形成装置について図面を参照して説明する。図１は、本発明の一実施形態に係る画像形成装置の外観を示した斜視図である。図２は、一実施形態に係る画像形成装置の主要内部構成を概略的に示した機能ブロック図である。図３は、読取部の内部構成を模式的に示した透過平面図である。
【００１３】
画像形成装置１は、例えば、コピー機能、プリンター機能、スキャナー機能、及びファクシミリ機能のような複数の機能を兼ね備えた複合機であり、制御ユニット１０、原稿給送部６、読取部５、画像形成部１２、画像メモリー３２、ＨＤＤ（Hard Disk Drive）９２、定着部１３、給紙部１４、操作部４７、開閉センサー１５、第１原稿センサー１６、及び第２原稿センサー１７を含んで構成されている。
【００１４】
また、この画像形成装置１には、本実施形態の原稿読取装置が用いられている。例えば、本実施形態の原稿読取装置は、少なくとも、読取部５と、原稿押さえカバーとしての原稿給送部６と、開閉センサー１５と、後述の制御部、動作制御部、及び表示部を備えて構成されている。
【００１５】
読取部５は、光照射部を使って原稿を照射し、その反射光を受光することによって、原稿から画像を読み取る。読取部５は、搬送読取用コンタクトガラス１６１と、載置読取用コンタクトガラス１６２と、第１の白色基準板３３１と、第２の白色基準板３３２と、キャリッジ３４と、を備えている。また、読取部５には、上記反射光を集光する集光レンズと、集光された反射光を受光するＣＣＤ（Charge Coupled Device）センサーとが設けられている（図示せず。）。尚、載置読取用コンタクトガラス１６２は、特許請求の範囲におけるコンタクトガラスの一例である。また、載置読取用コンタクトガラス１６２の左端及び右端には、図３に示すように、ユーザーが原稿を載置読取用コンタクトガラス１６２に載置する際の基準となる基準点が矢印Ｌ及び矢印Ｒによってそれぞれ左端Ｌ及び右端Ｒとして示されている。
【００１６】
第１の白色基準板３３１は、搬送読取用コンタクトガラス１６１と載置読取用コンタクトガラス１６２の左端側（一方の端部側）との間に主走査方向に延びて設けられた白色板である。第２の白色基準板３３２は、載置読取用コンタクトガラス１６２の右端側（他方の端部側）で主走査方向に延びて設けられた白色板である。これら第１及び第２の白色基準板３３１及び３３２は、シェーディング補正に用いられるものであり、第１及び第２の各白色基準板３３１及び３３２から読み取られた画像データが白色基準データとして用いられる。
【００１７】
キャリッジ３４は、ＬＥＤ（Light Emitting Diode）などの光源（図略）と、原稿によって反射された読取光を上記ＣＣＤセンサーに向けて反射する複数のミラー（図略）とを備えている。また、読取部５は、例えば、ステップモーターからなる駆動モーター（図略）を備え、当該駆動モーターからの駆動源により、動作制御部１０２等による制御の下、キャリッジ３４は移動機構として、上記主走査方向に直交する方向である、副走査方向（本実施形態では、予め定められた原稿読取領域）に往復移動可能に設けられている。また、この原稿読取領域は、載置読取用コンタクトガラス１６２の全域（つまり、上記左端Ｌと右端Ｒとの間の全ての領域）である。更に、読取部５は、原稿読取領域の全域に亘って原稿の読み取り動作を行う。
【００１８】
また、キャリッジ３４は、読取部５での原稿の読み取り動作（以下、スキャン動作ともいう。）が終了した場合に、動作制御部１０２による制御で、次のスキャン動作に備えて、副走査方向の一方の端部側（図３の左側）に予め定められた第１のホームポジションＨＰ１及び副走査方向の他方の端部側（図３の右側）に予め定められた第２のホームポジションＨＰ２のいずれか一方のホームポジション（待機位置）に移動されて、待機状態とされる。尚、第１及び第２のホームポジションＨＰ１及びＨＰ２は、それぞれ特許請求の範囲における第１及び第２の読取基準位置の一例である。また、第1のホームポジションＨＰ１と第２のホームポジションＨＰ２とは、載置読取用コンタクトガラス１６２の副走査方向での中央位置に対して、互いに等距離の位置に予め設定されている。
【００１９】
また、読取部５では、動作制御部１０２による制御で、副走査方向の２つの各方向で互いに独立したスキャン動作が行われる。すなわち、読取部５は、動作制御部１０２による制御で、キャリッジ３４が第１のホームポジションＨＰ１から副走査方向の右側に向かう方向（つまり、副走査方向の一方の端部側から他方の端部側に向かう第１の方向）に移動して、原稿のエッジが載置読取用コンタクトガラス１６２の左端Ｌに合わせられて載置された当該原稿を読み取る。また、この第１の方向でのスキャン動作とは別個に、読取部５は、動作制御部１０２による制御で、キャリッジ３４が第２のホームポジションＨＰ２から副走査方向の左側に向かう方向（つまり、副走査方向の他方の端部側から一方の端部側に向かう第２の方向）に移動して、原稿のエッジが載置読取用コンタクトガラス１６２の右端Ｒに合わせられて載置された当該原稿を読み取る。
【００２０】
尚、上記の説明以外に、例えば画像形成装置1において、動作制御部１０２による制御で、載置読取用コンタクトガラス１６２上の1つの原稿に対して、第１のホームポジションＨＰ１から副走査方向の右側に向かう第１の方向及び第２のホームポジションＨＰ２から副走査方向の左側に向かう第２の方向の両方向でスキャン動作が行われる構成でもよい。
【００２１】
原稿給送部６は、読取対象の原稿を読取部５へ給送する。また、原稿給送部６は、読取部５の上面にヒンジ等によって開閉可能に構成され、原稿給送部６は、読取部５の載置読取用コンタクトガラス１６２上に載置された原稿を読み取る場合に原稿押さえカバーとして機能する。すなわち、この原稿給送部６は、特許請求の範囲における原稿押さえカバーの一例である。
【００２２】
画像形成部１２は、印刷すべき画像のトナー像を用紙（記録媒体）上に形成する。画像メモリー３２は、読取部５による読み取りで得られた原稿の画像データを一時的に記憶したり、画像形成部１２のプリント対象となるデータを一時的に保存したりするための領域である。
【００２３】
ＨＤＤ９２は、読取部５によって読み取られた原稿画像等を記憶する大容量の記憶装置である。
【００２４】
定着部１３は、用紙上のトナー像を、熱圧着により用紙に定着させる。給紙部１４は、給紙カセットに収容された用紙をピックアップして搬送する。
【００２５】
開閉センサー１５は、原稿給送部６が原稿押さえカバーとして開状態であるか閉状態であるかを検出し、検出信号を制御ユニット１０に出力する。
【００２６】
例えば開閉センサー１５には、当該開閉センサー１５の内部から載置読取用コンタクトガラス１６２の上方に突出するように付勢された突出部材１５ａ（図１）が含まれている。そして、開閉センサー１５では、その検出信号の値が突出部材１５ａの突出量に応じて変化する。すなわち、開閉センサー１５では、開けられた原稿給送部６がユーザーにより閉じられていくにつれて、突出部材１５ａが原稿給送部６の下面と接触して、当該突出部材１５ａは開閉センサー１５の内部に押し込まれる。原稿給送部６が閉じられるに従って、突出部材１５ａの押し込まれる度合いが大きくなり、突出部材１５ａの突出量が予め定められた値未満となると、開閉センサー１５の検出信号の値は開状態の値から閉状態の値に変化する。一方、閉じられた原稿給送部６がユーザーにより開けられていくにつれて、突出部材１５ａが原稿給送部６の下面から離間して、当該突出部材１５ａは開閉センサー１５の内部から突出する。原稿給送部６が開けられるに従って、突出部材１５ａの押し込まれる度合いが小さくなり、突出部材１５ａの突出量が予め定められた値以上となると、開閉センサー１５の検出信号の値は閉状態の値から開状態の値に変化する。
【００２７】
第１原稿センサー１６は、原稿給送部６への原稿の有無を検出し、検出信号を制御ユニット１０に出力する。例えば、この第１原稿センサー１６には、光センサーが用いられており、原稿給送部６にセットされた原稿の先端を光センサーで検出することによって当該原稿の有無を検出し、その検出結果を検出信号として制御ユニット１０に出力する。
【００２８】
第２原稿センサー１７は、載置読取用コンタクトガラス１６２の下方に原稿サイズに対応して設けられた複数の光センサー（図略）を備え、載置読取用コンタクトガラス１６２に載置された原稿の有無、そして原稿のサイズを検出し、検出信号を制御ユニット１０に出力する。つまり、この第２原稿センサー１７では、上記複数の光センサーが複数の各原稿サイズに応じて設置されている。また、これらの各光センサーには、例えば原稿に向けて光を照射し、原稿に反射される光を受光する反射型の光センサーが用いられている。第２原稿センサー１７では、光センサーが光を受光したときに原稿が有ることを検出し、更には光を受光した光センサーの設置位置によって当該原稿のサイズを検出して、その検出結果を検出信号として制御ユニット１０に出力する。
【００２９】
操作部４７は、画像形成装置１が実行可能な各種動作及び処理について操作者から画像形成動作実行指示や原稿読取動作実行指示等の指示を受け付ける。操作部４７は、操作者への操作案内等を表示するＬＣＤ等の表示部４７３を備えている。表示部４７３はタッチパネルになっており、操作者は画面表示されるボタンやキーに触れて画像形成装置１を操作することができる。
【００３０】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro-processing unit）等である。制御ユニット１０は、画像形成装置１の全体的な動作制御を司る制御部１００と、操作受付部１０１と、動作制御部１０２と、を備えている。
【００３１】
制御ユニット１０は、ＨＤＤ９２にインストールされている制御プログラムに従った上記プロセッサーによる動作により、制御部１００、操作受付部１０１、及び動作制御部１０２として機能するものである。但し、制御部１００等は、制御ユニット１０による制御プログラムに従った上記プロセッサーによる動作によらず、それぞれハードウェア回路により構成することも可能である。
【００３２】
制御部１００は、原稿給送部６、画像形成部１２、画像メモリー３２、ＨＤＤ９２、定着部１３、給紙部１４、操作部４７、開閉センサー１５、第１原稿センサー１６、及び第２原稿センサー１７と接続され、これら各部の駆動制御を行う。
【００３３】
操作受付部１０１は、ユーザーからの操作を受け付ける。
【００３４】
動作制御部１０２は、読取部５の駆動制御を司る。例えば動作制御部１０２は、読取部５に載置読取用コンタクトガラス１６２に載置された原稿を読み取らせる制御等を行う。また、動作制御部１０２は、読取部５によるスキャン動作が終了した場合に、第１のホームポジションＨＰ１及び第２のホームポジションＨＰ２のいずれか一方のホームポジションに、キャリッジ３４を移動させる。更に、動作制御部１０２は、キャリッジ３４を移動させた場合に、その移動先の情報、つまり第１及び第２のホームポジションＨＰ１及びＨＰ２のうち、どちらのホームポジションにキャリッジ３４を移動させて待機状態としたかについて図略のメモリーに記憶させる。
【００３５】
また、動作制御部１０２は、キャリッジ３４の移動量が予め定められた移動量を超えているか否かを判別して、第１または第２のホームポジションＨＰ１またはＨＰ２にキャリッジ３４を移動させる。
【００３６】
例えば、動作制御部１０２は、上記原稿読取領域において予め定められた移動量、例えば原稿読取領域の全域を第１及び第２の方向（副走査方向）に移動する場合における移動量の半分の値以上にキャリッジ３４を移動させて、読取部５に原稿の読み取り動作を行わせた場合には、動作制御部１０２は、その原稿の読み取り動作の前に移動させていたいずれか一方のホームポジションとは異なる他方のホームポジションにキャリッジ３４を移動させる。
【００３７】
詳細にいえば、図４に例示するように、キャリッジ３４が第１のホームポジションＨＰ１で待機状態である場合に、Ａ３サイズの原稿が載置読取用コンタクトガラス１６２の左端Ｌに合わせて当該載置読取用コンタクトガラス１６２上に載置され、ここで動作制御部１０２には、上記第２原稿センサー１７からの検出信号や操作部４７に対するユーザーの操作入力によって、Ａ３サイズの原稿に対するスキャン動作を行うことが要求されるものとする。このとき、動作制御部１０２は、図４の矢印Ｓ１方向（上記第１の方向）にキャリッジ３４を移動させつつ読取部５に左端Ｌからスキャン動作を実行させる。その後、動作制御部１０２は、キャリッジ３４をＡ３サイズの原稿の右端部Ａ３Ｅまで移動させ当該Ａ３サイズの原稿に対する読取部５のスキャン動作を終了させると、動作制御部１０２は、このスキャン動作の前に待機していた第１のホームポジションＨＰ１ではなく、図４の矢印Ｍ１方向にキャリッジ３４を進めて、第２のホームポジションＨＰ２に移動させる。これにより、本実施形態では、動作制御部１０２が原稿読取領域の全域を第１及び第２の方向（副走査方向）に移動する場合における移動量の半分の値以上の移動量でキャリッジ３４を移動させた場合に、当該キャリッジ３４を待機位置まで移動させる移動時間を短くすることができ、次のスキャン動作の再開までに要する時間を短縮することが可能になる。
【００３８】
また、動作制御部１０２は、上記原稿読取領域において予め定められた移動量、例えば原稿読取領域の全域を第１及び第２の方向（副走査方向）に移動する場合における移動量の半分未満の値にキャリッジ３４を移動させて、読取部５に原稿の読み取り動作を行わせた場合には、動作制御部１０２は、その原稿の読み取り動作の前に移動させていたいずれか一方のホームポジションにキャリッジ３４を移動させる。
【００３９】
詳細にいえば、図５に例示するように、キャリッジ３４が第２のホームポジションＨＰ２で待機状態である場合に、Ａ６サイズの原稿が載置読取用コンタクトガラス１６２の右端Ｒに合わせて当該載置読取用コンタクトガラス１６２上に載置され、ここで動作制御部１０２には、上記第２原稿センサー１７からの検出信号や操作部４７に対するユーザーの操作入力によって、Ａ６サイズの原稿に対するスキャン動作を行うことが要求されるものとする。このとき、動作制御部１０２は、図５の矢印Ｓ２方向（上記第２の方向）にキャリッジ３４を移動させつつ読取部５に右端Ｒからスキャン動作を実行させる。その後、動作制御部１０２は、キャリッジ３４をＡ６サイズの原稿の右端部Ａ６Ｅまで移動させ当該Ａ６サイズの原稿に対する読取部５のスキャン動作を終了させると、動作制御部１０２は、図５の矢印Ｒ１方向にキャリッジ３４を移動させ、このスキャン動作の前に待機していた第２のホームポジションＨＰ２に移動させる。これにより、本実施形態では、動作制御部１０２が原稿読取領域の全域を第１及び第２の方向（副走査方向）に移動する場合における移動量の半分未満の値の移動量でキャリッジ３４を移動させた場合に、当該キャリッジ３４を待機位置まで移動させる移動時間を短くすることができ、次のスキャン動作の再開までに要する時間を短縮することが可能になる。
【００４０】
制御部１００は、動作制御部１０２がいずれか一方のホームポジションにキャリッジ３４を移動させた場合に、読取部５で次に読み取られる原稿を、載置読取用コンタクトガラス１６２上においてキャリッジ３４を移動させたホームポジション側に載置する旨のメッセージを表示部４７３に表示させる。
【００４１】
例えば、制御部１００は、動作制御部１０２が第１のホームポジションＨＰ１にキャリッジ３４を移動させて停止させた場合に、載置読取用コンタクトガラス１６２での当該第１のホームポジションＨＰ１側に読取部５で次に読み取られる原稿を載置する旨のメッセージ（すなわち、載置する場所を示す情報）を表示部４７３に表示させてユーザーに報知させる（詳細は後述）。また、制御部１００は、動作制御部１０２が第２のホームポジションＨＰ２にキャリッジ３４を移動させて停止した場合に、載置読取用コンタクトガラス１６２での当該第２のホームポジションＨＰ２側に読取部５で次に読み取られる原稿を載置する旨（すなわち、載置する場所を示す情報）を表示部４７３に表示させてユーザーに報知させる（詳細は後述）。
【００４２】
更に、本実施形態では、原稿押さえカバーとしての原稿給送部６が開状態にされたことを開閉センサー１５が検出した場合に、制御部１００は、読取部５で次に読み取られる原稿を載置する載置読取用コンタクトガラス１６２上の場所を表示部４７３によってユーザーに報知させる。
【００４３】
尚、表示部４７３によってユーザーに報知させる上述の説明以外に、制御部１００が、スピーカー等の音声出力部や載置読取用コンタクトガラス１６２の近傍に設けられた表示ランプ等を用いて、次のスキャン動作を行う場合での原稿の載置場所をユーザーに報知させる構成でもよい。
【００４４】
次に、図６乃至図８を参照して、制御ユニット１０で行われる処理動作の一例について具体的に説明する。図６は、制御ユニットにおける処理動作の一例を示したフローチャートである。図７は、表示部に表示される表示画面の一例を示した図である。図８は、表示部に表示される表示画面の一例を示した図である。尚、以下の説明では、制御部１００及び動作制御部１０２の動作について主に説明する。
【００４５】
動作制御部１０２は、読取部５でのスキャン動作を終了したか否かについて判別する（Ｓ１）。動作制御部１０２は、スキャン動作を終了していないとき（Ｓ１でＮＯ）、当該スキャン動作を継続させる。
【００４６】
一方、動作制御部１０２が、スキャン動作を終了したとき（Ｓ１でＹＥＳ）、動作制御部１０２は、キャリッジ３４の移動量が予め定められた移動量を超えているか否かを判別して、第１または第２のホームポジションＨＰ１またはＨＰ２にキャリッジ３４を移動させる。その後、動作制御部１０２は、第１のホームポジションＨＰ１にキャリッジ３４を移動させたかどうかについて判別する（Ｓ２）。
【００４７】
動作制御部１０２は、第１のホームポジションＨＰ１にキャリッジ３４を移動させた場合（Ｓ２でＹＥＳ）、図略のメモリー等に対し、キャリッジ３４を第１のホームポジションＨＰ１に移動させて待機させたことを記憶させる（Ｓ３）。
【００４８】
その後、制御部１００は、開閉センサー１５から検出信号を取得して、この検出信号に基づいて、開閉センサー１５によって原稿給送部（原稿押さえカバー）６が開状態にされたことが検出されたかどうかについて判別する（Ｓ４）。制御部１００は、原稿給送部６が開状態にされたことが検出されなければ（Ｓ４でＮＯ）、画像形成装置１を待機状態とする。
【００４９】
制御部１００は、原稿給送部６が開状態にされたことが検出されると（Ｓ４でＹＥＳ）、上記メモリー等から第１のホームポジションＨＰ１にキャリッジ３４を待機させたことを取得する（Ｓ５）。
【００５０】
続いて、制御部１００は、次の読取対象の原稿を第１のホームポジションＨＰ１側に載置する旨、例えば左端Ｌに合わせて当該原稿を載置する旨のメッセージを、表示部４７３に表示させることにより、ユーザーに報知する（Ｓ６）。つまり、制御部１００は、図７に例示するように、ユーザーに対し、次のスキャン動作での原稿を載置する載置読取用コンタクトガラス１６２上の場所を示すメッセージを表示部４７３に表示させる。このため、本実施形態では、ユーザーにより、第１のホームポジションＨＰ１側の載置読取用コンタクトガラス１６２の左端Ｌに合わせて、次に読み取られる原稿を容易に載置させることができるとともに、スキャン動作の再開を素早く行うことが可能になる。また、本実施形態では、原稿給送部６が開状態にされたことを検出した場合に、上記メッセージを表示させているので、ユーザーに対して必要なときのみ当該メッセージを報知させることができる。
【００５１】
一方、動作制御部１０２は、第２のホームポジションＨＰ２にキャリッジ３４を移動させた場合（Ｓ２でＮＯ）、上記メモリー等に対し、キャリッジ３４を第２のホームポジションＨＰ２に移動させて待機させたことを記憶させる（Ｓ７）。
【００５２】
その後、制御部１００は、開閉センサー１５から検出信号を取得して、この検出信号に基づいて、開閉センサー１５によって原稿給送部（原稿押さえカバー）６が開状態にされたことが検出されたかどうかについて判別する（Ｓ８）。制御部１００は、原稿給送部６が開状態にされたことが検出されなければ（Ｓ８でＮＯ）、画像形成装置１を待機状態とする。
【００５３】
制御部１００は、原稿給送部６が開状態にされたことが検出されると（Ｓ８でＹＥＳ）、上記メモリー等から第２のホームポジションＨＰ２にキャリッジ３４を待機させたことを取得する（Ｓ９）。
【００５４】
その後、制御部１００は、次の読取対象の原稿を第２のホームポジションＨＰ２側に載置する旨、例えば右端Ｒに合わせて当該原稿を載置する旨のメッセージを、表示部４７３に表示させることにより、ユーザーに報知する（Ｓ１０）。つまり、制御部１００は、図８に例示するように、ユーザーに対し、次のスキャン動作での原稿を載置する載置読取用コンタクトガラス１６２上の場所を示すメッセージを表示部４７３に表示させる。このため、本実施形態では、ユーザーにより、第２のホームポジションＨＰ２側の載置読取用コンタクトガラス１６２の右端Ｒに合わせて、次に読み取られる原稿を容易に載置させることができるとともに、スキャン動作の再開を素早く行うことが可能になる。また、本実施形態では、原稿給送部６が開状態にされたことを検出した場合に、上記メッセージを表示させているので、ユーザーに対して必要なときのみ当該メッセージを報知させることができる。
【００５５】
このように、本実施形態では、動作制御部１０２が第１または第２のホームポジションＨＰ１またはＨＰ２にキャリッジ３４を移動させた場合に、制御部１００は、表示部４７３に、読取部５で次に読み取られる原稿を、載置読取用コンタクトガラス１６２上においてキャリッジ３４を移動させた第１または第２のホームポジションＨＰ１またはＨＰ２側に載置する旨のメッセージをユーザーに表示させる。これにより、本実施形態では、原稿読取領域において原稿読取時の両移動方向に移動して読取部５がスキャン動作可能な場合に、一旦スキャン動作を終えた後の次のスキャン動作の再開を素早く行うことができる。
【００５６】
また、他の実施形態に係る画像形成装置１では、動作制御部１０２は、上記予め定められた移動量が、例えば原稿読取領域の全域を第１及び第２の方向（副走査方向）に移動する場合における移動量の半分未満の値である場合において、以下に示す条件を満たす場合では、上記実施形態と異なり、その原稿の読み取り動作の前に移動させていたいずれか一方のホームポジションとは異なる他方のホームポジションにキャリッジ３４を移動させる。
【００５７】
例えば、予め定められた移動量が、原稿読取領域の全域を第１及び第２の方向に移動する場合における移動量の半分未満の値であって、動作制御部１０２が、キャリッジ３４を第１の方向に移動させて、読取部５に原稿の読み取り動作を行わせている場合において、第２の方向に当該キャリッジ３４を移動させて、その原稿の読み取り動作の前に移動させていたいずれか一方のホームポジションに当該キャリッジ３４を戻すのに要する移動時間よりも、第１の方向に当該キャリッジ３４を移動させて、その原稿の読み取り動作の前に移動させていたいずれか一方のホームポジションとは異なる他方のホームポジションに当該キャリッジ３４を移動させるのに要する移動時間の方が短くなる移動量を示す値である条件を満たす場合では、動作制御部１０２は、図４に示した場合と同様に、その原稿の読み取り動作の前に移動させていたいずれか一方のホームポジションとは異なる他方のホームポジションにキャリッジ３４を移動させる。つまり、本実施形態では、キャリッジ３４を駆動する上記駆動モーターの回転方向の切替動作や当該駆動モーターの慣性等の駆動モーターの回転駆動などの影響に基づき、動作制御部１０２が駆動モーターの正回転を継続してキャリッジ３４を進めさせたときに要する移動時間が、動作制御部１０２が駆動モーターを逆回転させてキャリッジ３４を戻すときに要する移動時間よりも短くなる場合、動作制御部１０２は、キャリッジ３４を進めさせて、上記他方のホームポジションにキャリッジ３４を移動させる。
【００５８】
また、上記実施形態において、図１乃至図８を用いて上記実施形態により示した構成及び処理は、本発明の一実施形態に過ぎず、本発明を当該構成及び処理に限定する趣旨ではない。
【符号の説明】
【００５９】
１          画像形成装置
５          読取部
６          原稿給送部（原稿抑押さえカバー）
１２        画像形成部
３４        キャリッジ
１００      制御部
１０２      動作制御部
１６２      載置読取用コンタクトガラス
４７３      表示部
ＨＰ１      第１のホームポジション（第１の読取基準位置）
ＨＰ２      第２のホームポジション（第２の読取基準位置）
【図１】
2018101899.tif 000003
【図２】
2018101899.tif 000004
【図３】
2018101899.tif 000005
【図４】
2018101899.tif 000006
【図５】
2018101899.tif 000007
【図６】
2018101899.tif 000008
【図７】
2018101899.tif 000009
【図８】
2018101899.tif 000010